(57)【要約】      （修正有）【課題】麻雀ゲームにおけるプレイヤーの成績において、その成績優秀者にメダルを自動で排出する装置を設けた麻雀卓を提供する。【解決手段】各辺に、点数表示パネル２を有した麻雀卓において、既存の点数表示パネルと点数を数値データ化する制御部と、数値データを受信し、数値データに応じてモーター制御基板に信号を送る主制御基板と、送られた数値データに基づき点棒ケース３の側面、または上面に設けたメダル排出口５からメダルの排出を制御するモーターと、で構成される。ゲーム終了時に点数がもっとも高いプレイヤーまたは、イベントにおける成績優秀者に、メダルを自動で授与できる。【選択図】図１
0003195885.tif 000002
【実用新案登録請求の範囲】
【請求項１】
各辺に、点数表示パネルを有した麻雀卓において、既存の点数表示パネルと点棒ケース側面、または上面に設けたメダル排出装置がゲーム終了後のプレイヤーの成績内容、イベントにおける成績優秀者に対して、メダルを排出することを特徴にした麻雀卓。
【請求項２】
前記、メダル排出装置から排出される条件として、ゲーム終了後の点数がもっとも高いプレイヤー、またはお店が設けた一定の条件を越えた者に対して、そのプレイヤーが座する箇所の点棒ケースにメダルが排出されることを特徴とした麻雀卓。
【請求項３】
前記、排出装置はイベント内容、プレイヤーの成績によって、排出されるメダル数を調整することが出きることを特徴とした麻雀卓。
【考案の詳細な説明】
【技術分野】
【０００１】本考案は、麻雀のゲーム成績によってメダルが自動で排出される装置を備える麻雀卓に関するものである。
【背景技術】
【０００２】従来の麻雀卓では持ち点数を表示する麻雀卓はあったが、その技術はゲーム中に対戦相手の点数を知ることで、どのプレイヤーから何点取れば成績順位が上がるかを知るための装置であった。特許文献１参照【０００３】また、麻雀卓の点数表示装置から無線、または有線による成績データをホストコンピューターに転送して、成績管理をおこなう技術もある。特許文献１参照
【先行技術文献】
【０００４】
【特許文献１】  特許公開２００４−８９６７７  公報
【考案の概要】
【考案が解決しようとする課題】
【０００５】近年、麻雀ゲームはゲーム終了時の順位成績などを競う賭けない麻雀ゲームと、高齢者が多く参加する麻雀教室が増加している。このような店舗に参加する多くの麻雀ファンは、痴呆防止による健康志向とコミュニケーションを楽しみに麻雀ゲームに興じている。しかし、賭けない麻雀だけでは長期にわたる麻雀ゲームにおいてはマンネリ化を発生し、その後やめていく者も少なくない。長期にわたり麻雀ゲーム楽しむためには、ゲーム成績管理と多彩なイベントによるコミュニケーション強化が課題となっている。
【課題を解決するための手段】
【０００６】上記目的を達成するために、本考案は持ち点数表示パネル図１の２を各辺に有する麻雀卓と、成績またはイベントの内容によって授与されるメダルを自動的に提供するメダル排出装置図２を有する装置で構成されている。【０００７】請求項１において、すでに開発されている持ち点数を表示する麻雀卓は、図３のように点棒ケース３ａ〜３ｄに収められた点棒の種別を１７ａ〜１７ｄにおいて判別して、数値化されその数値を各辺に有する点棒表示パネル２ａ〜２ｄで表示される。
ゲーム終了時、ゲーム終了スイッチ図１の４を押すことで任意の制御部１７ａ〜１７ｄで数値化されたデータを、主制御基板１６に送信する。主制御基板１６に入ったデータはここで、持ち点数のもっとも高いプレイヤーのモーター制御基板１５ａ〜１５ｄに信号を送り、モーター１４ａ〜１４ｄを回転させてモーターが回転すると、モーターの回転板図２の１２に取付られたベアリング図２の１０が前に押し出される。同時にベアリングレール図２の１３が前方または後方に移動にしてプッシャー８が作動して、ホッパー図２の７内にあるメダルがメダル排出口図１の５から押し出される。尚、本考案では点棒ケース図１の３の側面にメダル排出口５を設けているが、点棒ケース図１の３上面に排出口を設けても良い。また、メダルの他にコイン、カード、ポーカチップ、特殊点棒など使っても良い。メダルの補充はメダル供給口、図１の６よりおこなう。【０００８】請求項２において、メダルを授与できる対象者として、ゲーム終了時の持ち点数のもっとも高いプレイヤーとしているが、たとえば店舗で使用される場合は、特別の日または、一定基準の成績を満たしたプレイヤー、その他特別に制定されたイベントに参加して、その優秀者または、対象者が座する点棒ケース図１の２にメダルが自動排出される。尚、メダルが点棒ケースに収まらない場合は、麻雀枠本体の別の箇所、または麻雀機、または脚部にメダルを受ける皿を別途、設けても良い。【０００９】請求項３において、成績優秀者、またはイベントでの参加による成績優秀者が授与されるメダルは、その成績内容によって授与できるメダル数が設定変更できるようにモーター制御板１５ａ〜１５ｄに数量設定のスイッチを取り付けて調整できるようにしても良い。
【考案の効果】
【００１０】以上の説明から明らかなように、本考案にあっては次に列挙する効果が得られる。
（１）本考案により、賭博性のイメージを持つ麻雀ゲームから、成績重視の健全な麻雀ゲームへの転化。また。イベント性を高めることにより、麻雀客のリピート率を向上させ安定的、かつ健全な店舗運営を計ることが出きる。【００１１】（２）前記（１）によって、健全で楽しく麻雀ゲームをおこなう場を提供することができるようになり、低年齢層から高年齢層まで、幅広く麻雀を楽しむことができるようになる。また、麻雀人口の増加により麻雀業界の活性化につなげることが可能となる。【００１２】（３）請求項２，３も（１）〜（２）と同様の効果が得られる
【図面の簡単な説明】
【００１３】
【図１】本考案を構成している外観図である。
【図２】本考案におけるメダル排出装置の外観図である
【図３】本考案におけるシステムのブロック図である。
【図４】本考案におけるメダル排出装置の透視図である。
【考案を実施するための形態】
【００１４】以下、本考案の実施の形態を図に基づいて説明する。
【実施例１】
【００１５】図１は、本考案における麻雀卓の各部における外観図を記したものである。本考案は、ゲーム終了時の成績によってメダル排出口からメダルを授与させることができる。
【実施例２】
【００１６】図２は、本考案におけるメダル排出装置の外観図を記したものである。主制御基板によりモーターが回転する回数を設定でき、プッシャーが作動した回数分、ホッパー内にあるメダルが排出口から押し出される。
【実施例３】
【００１７】図３は、本考案におけるシステムのブロック図である。メダル排出装置と点数表示装置とで構成されている。
【実施例４】
【００１８】図４は、本考案を麻雀枠本体に取り付けた場合の透視図である。
【産業上の利用可能性】
【００１９】本考案は、麻雀ゲームの成績に伴う自動メダル排出装置付き麻雀卓を製造する産業で利用される。
【符号の説明】
【００２０】１                    麻雀枠本体部
２、２ａ〜２ｄ        点数表示パネル
３、３ａ〜３ｄ        点棒ケース
４                    ゲーム終了スイッチ
５                    メダル排出口
６                    メダル供給口
７                    ホッパー
８                    プッシャー
９                    スライドレール
１０                  ベアリング
１１                  メダル排出パネル
１２                  回転板
１３                  ベアリングレール
１４，１４ａ〜１４ｄ  モーター
１５ａ〜１５ｄ        モーター制御板
１６                  主制御基板
１７ａ〜１７ｄ        制御部
【図１】
0003195885.tif 000003
【図２】
0003195885.tif 000004
【図３】
0003195885.tif 000005
【図４】
0003195885.tif 000006
【手続補正書】
【提出日】平成26年11月13日(2014.11.13)
【手続補正１】
【補正対象書類名】実用新案登録請求の範囲
【補正対象項目名】全文
【補正方法】変更
【補正の内容】
【実用新案登録請求の範囲】
【請求項１】
各辺に、点数表示パネルを有した麻雀卓において、既存の点数表示パネルと点数を数値データ化する「制御部」、数値データを受信し、数値データに応じて「モーター制御基板」に信号を送る「主制御基板」、送られた数値データに基づき点棒ケース側面、または上面に設けたメダル排出口からメダルの排出を制御する「モーター」で構成されることを特徴にした麻雀卓。
【請求項２】
麻雀卓の各辺に設けられたメダル排出装置を持つことを特徴とする請求項１に記載の麻雀卓におけるメダル排出装置から排出される条件として、ゲーム終了後の点数がもっとも高いプレイヤー、またはお店が設けた一定の条件を越えた者に対して、そのプレイヤーが座する箇所の点棒ケースにメダルが排出されることを特徴とした麻雀卓。
【請求項３】
麻雀卓の各辺に設けられたメダル排出装置を持つことを特徴とする請求項１に記載の麻雀卓におけるメダル排出装置はイベント内容、プレイヤーの成績によって、排出されるメダル数をモーター制御盤で、変更することが出きることを特徴とした麻雀卓。